【手続補正書】
【提出日】平成20年2月25日(2008.2.25)
【手続補正１】
【補正対象書類名】明細書
【補正対象項目名】特許請求の範囲
【補正方法】変更
【補正の内容】
【特許請求の範囲】
【請求項１】
移動体に対して情報を通信する情報通信装置であって、
複数の移動体から各移動体の行動履歴情報を受信する行動履歴受信手段と、
受信した各移動体の行動履歴情報を蓄積する行動履歴情報記憶手段と、
ある特定の移動体に関する行動履歴情報に類似する行動履歴情報を有する移動体を前記行動履歴情報記憶手段の中から探索する類似行動履歴探索手段と、
該探索された類似行動履歴を基に、該特定の移動体に対して薦める最適行動履歴情報を生成する最適行動履歴情報生成手段と、
該生成された最適行動履歴情報を該特定の移動体に送信する行動履歴情報送信手段と、
を具備することを特徴とする情報通信装置。
【請求項２】
行動履歴情報は、出発地、目的地、１以上の経由地、並びに各地点での到着又は出発時刻などからなる経路情報を含む、
ことを特徴とする請求項１に記載の情報通信装置。
【請求項３】
行動履歴情報は、天候、気温、湿度などの環境情報を含む、
ことを特徴とする請求項１に記載の情報通信装置。
【請求項４】
行動履歴情報は、移動体における乗員の人数、性別、年齢、血縁関係などの乗員情報を含む、
ことを特徴とする請求項１に記載の情報通信装置。
【請求項５】
移動体からの情報取得要求を受信する情報要求受信手段をさらに備え、
前記類似行動履歴探索手段、前記最適行動履歴情報生成手段、並びに、前記行動履歴情報送信手段は、情報取得要求に応答して動作する、
ことを特徴とする請求項１に記載の情報通信装置。
【請求項６】
前記行動履歴情報送信手段による情報送信に応答して、該特定の移動体に対して課金処理を行う課金手段をさらに備える、
ことを特徴とする請求項１に記載の情報通信装置。
【請求項７】
前記最適行動履歴情報生成手段は、該特定の移動体が目的地の探索を要求する場合は、１以上の目的地の候補を含んだ行動履歴情報を生成する、
ことを特徴とする請求項１に記載の情報通信装置。
【請求項８】
前記最適行動履歴情報生成手段は、前記類似行動履歴探索手段により検索された移動体が訪れたことがあるが、該特定の移動体が訪れたことのない目的地を目的地の候補として挙げる、
ことを特徴とする請求項１に記載の情報通信装置。
【請求項９】
各移動体から受信した行動履歴を基に将来の交通量の予測を行う交通量予測手段をさらに備え、
前記最適行動履歴情報生成手段は、該交通量予測手段による予測結果に基づいて、全体として過度の交通集中が生じないように最適行動履歴情報を生成する、
ことを特徴とする請求項１に記載の情報通信装置。
【請求項１０】
前記最適行動履歴情報生成手段は、抽出された目的地候補の中から、環境条件が該特定の移動体と最も類似するものを最適目的地とする、
ことを特徴とする請求項１に記載の情報通信装置。
【請求項１１】
ユーザとともに実空間を探索する移動体であって、
ユーザ入力を受容するユーザ入力手段と、
前記移動体がさらされる外部環境情報を取得する環境情報取得手段と、
前記移動体が置かれている位置情報を取得する位置情報取得手段と、
前記移動体の出発地と目的地、並びに両地点間の経由場所とその到着又は通過時刻に関する経路情報を取得する経路情報取得手段と、
取得された環境情報と経路情報と位置情報を含んだ行動履歴からなる送信信号、又は、ユーザ入力に応答した情報要求からなる送信信号を生成する送信信号生成手段と、
該送信信号を送出する情報送信手段と、
該情報要求信号に対して供給される最適行動履歴情報を受信する情報受信手段と、
前記位置情報取得手段により取得された位置情報に基づく案内図、又は前記情報受信手段により受信された最適行動履歴情報を表示出力する情報表示手段と、
を具備することを特徴とする移動体。
【請求項１２】
移動体に対して情報を通信する情報通信方法であって、
複数の移動体から各移動体の行動履歴情報を受信する行動履歴受信ステップと、
受信した各移動体の行動履歴情報を蓄積する行動履歴情報記憶ステップと、
ある特定の移動体に関する行動履歴情報に類似する行動履歴情報を有する移動体を前記行動履歴情報記憶ステップにより記憶されたものの中から探索する類似行動履歴探索ステップと、
該探索された類似行動履歴を基に、該特定の移動体に対して薦める最適行動履歴情報を生成する最適行動履歴情報生成ステップと、
該生成された最適行動履歴情報を該特定の移動体に送信する行動履歴情報送信ステップと、
を具備することを特徴とする情報通信方法。
【請求項１３】
移動体に対して情報を通信する処理をコンピュータ上で実行するように記述されたコンピュータ・ソフトウェアをコンピュータ可読形式で物理的に格納した記憶媒体であって、前記コンピュータ・ソフトウェアは前記コンピュータを、
複数の移動体から各移動体の行動履歴情報を受信する行動履歴受信手段と、
受信した各移動体の行動履歴情報を蓄積する行動履歴情報記憶手段と、
ある特定の移動体に関する行動履歴情報に類似する行動履歴情報を有する移動体を前記行動履歴情報記憶手段の中から探索する類似行動履歴探索手段と、
該探索された類似行動履歴を基に、該特定の移動体に対して薦める最適行動履歴情報を生成する最適行動履歴情報生成手段と、
該生成された最適行動履歴情報を該特定の移動体に送信する行動履歴情報送信手段と、
として機能させることを特徴とする記憶媒体。
【請求項１４】
移動体に対して情報を通信する処理をコンピュータ上で実行するようにコンピュータ可読形式で記述されたコンピュータ・プログラムであって、前記コンピュータを、
複数の移動体から各移動体の行動履歴情報を受信する行動履歴受信手段と、
受信した各移動体の行動履歴情報を蓄積する行動履歴情報記憶手段と、
ある特定の移動体に関する行動履歴情報に類似する行動履歴情報を有する移動体を前記行動履歴情報記憶手段の中から探索する類似行動履歴探索手段と、
該探索された類似行動履歴を基に、該特定の移動体に対して薦める最適行動履歴情報を生成する最適行動履歴情報生成手段と、
該生成された最適行動履歴情報を該特定の移動体に送信する行動履歴情報送信手段と、
として機能させるためのコンピュータ・プログラム。
【手続補正２】
【補正対象書類名】明細書
【補正対象項目名】０１０７
【補正方法】変更
【補正の内容】
【０１０７】
可搬型メディアは、主として、ソフトウェア・プログラムやデータ・ファイルなどをコンピュータ可読形式のデータとしてバックアップすることや、これらをシステム間で移動（すなわち販売・流通・配布を含む）する目的で使用される。例えば、図６並びに図７の各フローチャートで示した処理手順をコンピュータ可読形式で記述した目的地案内ソフトウェアを、これら可搬型メディアを利用して複数の機器間で物理的に流通・配布することができる。また、目的地案内サービスに利用可能な各移動体の行動履歴データベースや目的地案内ソフトウェアの実行結果として生成される最適行動履歴情報などを、これら可搬型メデアを利用して機器間で物理的に流通・配布することができる。
【手続補正３】
【補正対象書類名】明細書
【補正対象項目名】０１１０
【補正方法】変更
【補正の内容】
【０１１０】
【発明の効果】
以上詳記したように、本発明によれば、移動体に対して目的地への最適な経路を教示することができる、優れた情報通信装置及び方法、記憶媒体、並びにコンピュータ・プログラムをを提供することができる。